(57)【特許請求の範囲】
【請求項１】
温度調節された熱媒を内部に流通させ表面から暖気若しくは冷気を放出して空調を行うため建物内に配置される放熱器であって、
倒立Ｕ字状に屈曲した複数の縦パイプを鉛直姿勢で所定間隔をおいて配列し、前記縦パイプの開口端側に形成される２列の開口端列をそれぞれ水平方向に連通する流路を有するヘッダ部材を接続し、複数の前記縦パイプの上方を倒伏方向に湾曲させたことを特徴とする放熱器。
【請求項２】
温度調節された熱媒を内部に流通させ表面から暖気若しくは冷気を放出して空調を行うため建物内に配置される放熱器であって、
鉛直方向に配列された複数の縦パイプと、前記縦パイプの上端及び下端をそれぞれ水平方向に連通する流路を有する上部ヘッダ部材及び下部ヘッダ部材と、を有する柵状パネルを備え、前記柵状パネルを形成する複数の前記縦パイプの上方を倒伏方向に湾曲させたことを特徴とする放熱器。
【請求項３】
複数の前記柵状パネルを互いに略平行をなすように配置した請求項２記載の放熱器。
【請求項４】
複数の前記上部ヘッダ部材同士若しくは複数の前記下部ヘッダ部材同士の少なくとも一方を一体化させた請求項３記載の放熱器。
【請求項５】
複数の前記縦パイプの湾曲部分が可撓性を有する請求項１〜４のいずれかに記載の放熱器。
【請求項６】
建物内に配置された請求項１〜５のいずれかに記載の放熱器と、
前記熱媒の温度調節を行うため前記建物外に配置された熱源機と、
前記放熱器と前記熱源機との間で前記熱媒を循環させる第１流通経路と、
前記建物内に外気を導入するための第１給気経路及び給気手段と、
前記給気手段で導入される外気を浄化する清浄化手段と、
前記給気手段で導入される外気の温度調節を行う熱交換器と、
前記建物内の空気が流出可能な第１排気経路と、
前記熱交換器と前記熱源機との間で前記熱媒を循環させる第２流通経路とを備えたことを特徴とする空調システム。
【発明の詳細な説明】
【技術分野】
【０００１】
本発明は、建物内に配置された放熱器に熱媒を循環供給し、放熱器から輻射される熱気や冷気により建物内の冷暖房を行う空調技術に関する。
【背景技術】
【０００２】
建築物内の冷暖房を行う空調システムとしては、所謂、ルームエアコンなどの空調装置を用いたものが代表的である。従来の空調装置は、室外機で適度に温度調節された空気流を建物内に配置した室内機から室内に吹き出すことにより空調を行うものであるが、特に夏の暑い時季は、室内機から吹き出す空調空気によって生じる気流感により涼しく感じることができるが、場合によってはドラフトという不快な現象が発生することがある。
【０００３】
そこで、室内に配置された放熱器に熱媒を循環供給し、放熱器から輻射される熱気や冷気によって室内の空調を行う空調システムが提案されている。また、このような空調システムに使用する放熱器についても様々な方式が提案されているが、本発明に関連するものとして、例えば、特許文献１記載の「放射冷暖房用パネル」がある。
【０００４】
特許文献１記載の「放射冷暖房用パネル」は、最外層に設けられた断熱層と、その内面側に設けられた熱放射層とを有する放射冷暖房用合成樹脂管を複数並列に配置し、これらの放射冷暖房用合成樹脂管の末端に、内部に冷温媒体を流通させる管状の流路と該流路に通じる複数の開口とが設けられたヘッダを、前記末端と前記開口とをそれぞれ連通した状態で取り付けることによって、パネル化したものである。
【先行技術文献】
【特許文献】
【０００５】
【特許文献１】特開２００８−２０１１９号公報
【発明の概要】
【発明が解決しようとする課題】
【０００６】
特許文献１に記載された「放射冷暖房用パネル（放熱器）」を用いた空調システムは、無風状態でありながら、輻射作用により快適な空調空間を実現することができる点において優れているが、輻射方式の空調システムに用いられる「放射冷暖房用パネル（放熱器）」については、輻射機能の向上が要請されている。
【０００７】
そこで、本発明が解決しようとする課題は、居住空間を効率的かつ快適に冷暖房することができる放熱器及びこれを用いた空調効率の高い空調システムを提供することにある。
【課題を解決するための手段】
【０００８】
本発明に係る第１の放熱器は、温度調節された熱媒を内部に流通させ表面から暖気若しくは冷気を放出して空調を行うため建物内に配置される放熱器であって、
倒立Ｕ字状に屈曲した複数の縦パイプを鉛直姿勢で所定間隔をおいて配列し、前記縦パイプの開口端側に形成される２列の開口端列をそれぞれ水平方向に連通する流路を有するヘッダ部材を接続し、複数の前記縦パイプの上方を倒伏方向に湾曲させたことを特徴とする。
【０００９】
このような構成とすれば、当該放熱器を建物内に配置したとき、室内の天井寄りに位置する、複数の縦パイプの上方部分を、居住者が日常生活する領域（居住空間）に接近させることができるため、居住者は輻射効果を体感し易くなり、居住空間を効率的かつ快適に冷暖房することができる。また、室内の床面から天井面までの距離に制限がある場所に設置する場合、湾曲した縦パイプは、直線状の縦パイプに比べ、パイプ長を長く（熱媒の流動経路を長く）確保することができるため、輻射領域が広くなり、冷暖房機能の向上にも有効である。なお、２列の開口端列をそれぞれ水平方向に連通する流路を有するヘッダ部材は、前記開口端列ごとに２本設けてもよいが、２列の流路を有する１本のヘッダ部材を用いることもできる。
【００１０】
次に、本発明に係る第２の放熱器は、温度調節された熱媒を内部に流通させ表面から暖気若しくは冷気を放出して空調を行うため建物内に配置される放熱器であって、
鉛直方向に配列された複数の縦パイプと、前記縦パイプの上端及び下端をそれぞれ水平方向に連通する流路を有する上部ヘッダ部材及び下部ヘッダ部材と、を有する柵状パネルを備え、前記柵状パネルを形成する複数の前記縦パイプの上方を倒伏方向に湾曲させたことを特徴とする。
【００１１】
このような構成とすれば、前述した第１の放熱器と同様、当該放熱器を建物内に配置したとき、室内の天井寄りに位置する、複数の縦パイプの上方部分を、居住者が日常生活する領域（居住空間）に接近させることができるため、居住者は輻射効果を体感し易くなり、居住空間を効率的かつ快適に冷暖房することができる。また、室内の床面から天井面までの距離に制限がある場所に設置する場合、湾曲した縦パイプは、直線状の縦パイプに比べ、パイプ長を長く（熱媒の流動経路を長く）確保することができるため、輻射領域が広くなり、冷暖房機能の向上にも有効である。
【００１２】
この場合、複数の前記柵状パネルを互いに略平行をなすように配置することができる。
【００１３】
このような構成とすれば、単数の柵状パネルの場合より輻射領域が広がり、輻射される暖気（冷気）を増加させることができるので、空調機能が高まる。
【００１４】
ここで、複数の前記上部ヘッダ部材同士若しくは複数の前記下部ヘッダ部材同士の少なくとも一方を一体化させることもできる。
【００１５】
このような構成とすれば、上部ヘッダ部材や下部ヘッダ部材がそれぞれ単一の部材となるので、部品点数の削減、構造の簡素化を図ることができる。
【００１６】
この場合、複数の前記縦パイプの湾曲部分が可撓性を有するものとすることもできる。
【００１７】
このような構成とすれば、放熱器の湾曲角度を変更することが可能となるので、居住者の体感度合いを変更することが可能となり、例えば、居住者に対する暖房作用や冷房作用を強めたいときは、放熱器を湾曲させて居住者側に近付けることによりスポット空調的な効果が得られるので、利便性が向上する。また、放熱器の湾曲角度を変更することにより、設置場所に適した状態に設定することができるので、施工性の向上にも有効である。
【００１８】
次に、本発明の空調システムは、建物内に配置されたいずれかの前記放熱器と、
前記熱媒の温度調節を行うため前記建物外に配置された熱源機と、
前記放熱器と前記熱源機との間で前記熱媒を循環させる第１流通経路と、
前記建物内に外気するための給気経路及び給気手段と、
前記給気手段で導入される外気を浄化する清浄化手段と、
前記給気手段で導入される外気の温度調節を行う熱交換器と、
前記建物内の空気が流出可能な排気経路と、
前記熱交換器と前記熱源機との間で前記熱媒を循環させる第２流通経路とを備えたことを特徴とする。
【００１９】
このような構成とすれば、当該放熱器を建物内に配置したとき、室内の天井寄りに位置する、複数の縦パイプの上方部分を、居住者が日常生活する領域（居住空間）に接近させることができるため、居住者は輻射効果を体感し易くなるとともに、放熱器の下方に家具や棚などを配置することも可能であり、居住空間を効率的かつ快適に冷暖房することができ、空調効率の高い空調システムを得ることができる。また、浄化され温度調節された外気を建物内へ導入するので、快適性も向上する。
【発明の効果】
【００２０】
本発明により、住空間を効率的かつ快適に冷暖房することができる放熱器及びこれを用いた空調効率の高い空調システムを提供することができる。
【図面の簡単な説明】
【００２１】
【図１】本発明の第１実施形態である放熱器を示す斜視図である。
【図２】図１中のＡ−Ａ線における一部省略断面図である。
【図３】本発明の第２実施形態である放熱器を示す斜視図である。
【図４】本発明の第３実施形態である放熱器を示す一部省略断面図である。
【図５】図１に示す放熱器を用いた空調システムを示す図である。
【発明を実施するための形態】
【００２２】
以下、図１〜図５に基づいて、本発明の第１，２，３実施形態である放熱器１００，２００，３００及び放熱器１００を用いた空調システム４００について説明する。なお、図１〜図５において共通する部材については同じ符号を付して説明を省略する。
【００２３】
図１，図２に示す放熱器１００は、後述する図５の空調システム４００に示すように、温度調節された熱媒を内部に流通させ表面から暖気若しくは冷気を放出して空調を行うため建物１０内に配置される空調用資材であり、倒立Ｕ字状に屈曲した複数の縦パイプ１０１を鉛直姿勢で所定間隔をおいて配列し、縦パイプ１０１の開口端１０２，１０３側に形成される２列の開口端列をそれぞれ水平方向に連通する流路１０４，１０５を有するヘッダ部材１０６，１０７を接続し、複数の縦パイプ１０１の上方部分１０１ｃを倒伏方向に傾斜させている。即ち、複数の縦パイプ１０１の倒立Ｕ字状をなす部分に近い部分にそれぞれ湾曲部１０１ａ，１０１ｂを設けることにより、縦パイプの１０１の上方部分１０１ｃを倒伏方向に傾斜させている。
【００２４】
本実施形態の放熱器１００においては、湾曲部１０１ａ，１０１ｂの傾斜角度Ｘを約３０度に設定しているが、これに限定するものではないので、施工条件に応じて、例えば、０度＜傾斜角度Ｘ≦４５度の範囲で任意に設定することができる。
【００２５】
放熱器１００においては、熱源機（図示せず）で温度調節された熱媒は、図１中で正面側に設けられたヘッダ部材１０６の右端部に設けられた流入部１０６ａからヘッダ部材１０６内へ流入し、ヘッダ部材１０６から複数の縦パイプ１０１内へ流入してそれぞれの内部を上昇し、縦パイプ１０１の頂上部分でＵターンした後、それぞれの縦パイプ１０１内を下降して、背面側に位置するヘッダ部材１０７内へ流入し、ヘッダ部材１０７の左端側に設けられた流出部１０７ａから流出し、熱源機（図示せず）へ向かう。このように、温度調節された熱媒を、複数の縦パイプ１０１内を流動させ、縦パイプ１０１の表面から暖気若しくは冷気を放出させることによって建物内の空調を行う。
【００２６】
なお、前述した流入部１０６ａ、流出部１０７ａの位置や、複数の縦パイプ１０１における熱媒の流動経路などは一例を示すものであり、これに限定されないので、施工条件などに応じて設定することができる。
【００２７】
図１，図２に示す放熱器１００を建物内に配置した場合、室内の天井面Ｃ寄りに位置する、複数の縦パイプ１０１の上方部分１０１ｃ（縦パイプ１０１の頂上部１０１ｄから湾曲部１０１ａ，１０１ｂまでの部分）を、居住者が日常生活する領域（居住空間）に接近させることができるため、居住者は輻射効果を体感し易くなるとともに、放熱器１００の下方に家具や棚などを配置することも可能であり、居住空間を効率的かつ快適に冷暖房することができる。
【００２８】
また、図２に示すように、室内の床面Ｆから天井面Ｃまでの距離に制限がある場所に設置する場合、傾斜した縦パイプ１０１は、直線状の縦パイプで製作された同一高さの放熱器（図示せず）に比べ、パイプ長を長く（熱媒の流動経路を長く）確保することができるため、輻射領域が広くなり、冷暖房機能の向上にも有効である。
【００２９】
本実施形態の放熱器１００の場合、縦パイプ１０１の２列の開口端列をそれぞれ水平方向に連通する流路１０４，１０５を有するヘッダ部材１０６，１０７は、２列の開口端列ごとに２本設けているが、これに限定しないので、２列の流路１０４，１０５を有する１本のヘッダ部材を用いることもできる。２列の流路１０４，１０５を有する１本のヘッダ部材を用いれば、ヘッダ部材１０６，１０７が一体化された単一の部材となるので、部品点数の削減、構造の簡素化を図ることができる。
【００３０】
次に、図３に示す放熱器２００は、図１に示す放熱器１００と同様、温度調節された熱媒を内部に流通させ表面から暖気若しくは冷気を放出して空調を行うため建物内に配置される空調用資材であり、鉛直方向に配列された複数の縦パイプ２０１（２０２）と、縦パイプ２０１（２０２）の上端及び下端をそれぞれ水平方向に連通する流路を有する上部ヘッダ部材２０３（２０４）及び下部ヘッダ部材２０５（２０６）と、を備えた柵状パネル２０７（２０８）を前後２枚配置し、柵状パネル２０７（２０８）を形成する複数の縦パイプ２０１（２０２）の上方部分２０１ｃ（２０２ｃ）を倒伏方向に傾斜させている。
【００３１】
具体的には、柵状パネル２０７（２０８）を形成する複数の縦パイプ２０１（２０２）の上部ヘッダ部材２０３（２０４）の直下部分およびその下方部分にそれぞれ湾曲部２０１ａ，２０１ｂ（２０２ａ，２０２ｂ）を設けることにより、複数の縦パイプ２０１（２０２）の上方部分２０１ｃ（２０２ｃ）（縦パイプ２０１，２０２それぞれの上部ヘッダ部材２０３，２０４寄りの部分）を倒伏方向に傾斜させている。
【００３２】
図３に示すように、熱源機（図示せず）にて温度調節された熱媒は、上部ヘッダ部材２０３の右端寄りに設けられた流入管２０３ａから上部ヘッダ部材２０３内へ流入し、上部ヘッダ部材２０３内に設けられた隔壁（図示せず）の作用により、柵状パネル２０７の右端に位置する縦パイプ２０１ａ内のみに流入し、この縦パイプ２０１ａ内を下降して下部ヘッダ部材２０５内へ流入する。下部ヘッダ部材２０５内へ流入した熱媒は、その内部を左端に向かって流動しながら、複数の縦パイプ２０１内へ流入し、それぞれの縦パイプ２０１内を上昇する。
【００３３】
複数の縦パイプ２０１の上端部まで上昇した熱媒は上部ヘッダ部材２０３内へ流入し、その内部を左端に向かって流動し、上部ヘッダ部材２０３の左端部と、上部ヘッダ部材２０４の左端部とを連通する連通経路（図示せず）を通過して、上部ヘッダ部材２０４の左端部に流入する。
【００３４】
上部ヘッダ部材２０４の左端部に流入した熱媒は、上部ヘッダ部材２０４内に設けられた隔壁（図示せず）の作用により、柵状パネル２０８の左端に位置する縦パイプ２０２内にのみ流入し、この縦パイプ２０１内を下降して、下部ヘッダ部材２０６内へ流入する。下部ヘッダ部材２０６内に流入した熱媒は、その内部を右端に向かって流動しながら、複数の縦パイプ２０２内へ流入し、それぞれの縦パイプ２０２内を上昇する。
【００３５】
複数の縦パイプ２０２の上端部まで上昇した熱媒は上部ヘッダ部材２０４内へ流入し、その内部を右端に向かって流動し、上部ヘッダ部材２０４の右端寄りに設けられた流出管２０４ａから流出し、熱源機（図示せず）へ向かう。
【００３６】
このように、放熱器２００は、熱源機で温度調節された熱媒を、上部ヘッダ部材２０３，２０４及び下部ヘッダ部材２０５，２０６を介して、複数の縦パイプ２０１，２０２内に流動させ、縦パイプ２０１，２０２などの表面から暖気若しくは冷気を放出させることによって建物内の空調を行う。
【００３７】
放熱器２００においては、複数の縦パイプ２０１，２０２の上方部分２０１ｃ，２０２ｃ（上部ヘッダ部材２０３，２０４寄りの部分）が倒伏方向に傾斜しているので、前述した図１に示す放熱器１００と同様、当該放熱器２００を建物内に配置したとき、室内の天井寄りに位置する、複数の縦パイプ２０１，２０２の上方部分２０１ｃ，２０２ｃが、居住者が日常生活する領域（居住空間）に接近した状態となる結果、居住者は輻射効果を体感し易くなるとともに、放熱器２００の下方に家具や棚などを配置することも可能であり、居住空間を効率的かつ快適に冷暖房することができる。
【００３８】
また、室内の床面から天井面までの距離に制限がある場所に放熱器２００を設置する場合、傾斜した縦パイプ２０１，２０２は、直線状の縦パイプに比べ、パイプ長を長く（熱媒の流動経路を長く）確保することができるため、輻射領域が広くなり、冷暖房機能の向上にも有効である。なお、放熱器２００においては、上部ヘッダ部材２０３，２０４及び下部ヘッダ部材２０５，２０６はそれぞれ独立したパイプ状部材であるが、上部ヘッダ部材２０３，２０４同士及び下部ヘッダ部材２０５，２０６同士をそれぞれ一体化させた構造とすることもできる。
【００３９】
次に、図４に示す放熱器３００は、図３に示す放熱器２００と同様、温度調節された熱媒を内部に流通させ表面から暖気若しくは冷気を放出して空調を行うため建物内に配置される空調用資材であり、鉛直方向に配列された複数の縦パイプ３０１（３０２）と、縦パイプ３０１（３０２）の上端をそれぞれ水平方向に連通する流路３０３ａ，３０４ａを有する上部ヘッダ部材３０３（３０４）と、縦パイプ３０１（３０２）の下端をそれぞれ水平方向に連通する流路３０５ａ，３０６ａを有する及び下部ヘッダ部材３０５（３０６）と、を備えた柵状パネル３０７（３０８）を前後２枚配置し、柵状パネル３０７（３０８）を形成する複数の縦パイプ３０１（３０２）を可撓性のある湾曲部３０１ａ，３０２ａで湾曲させることにより、縦パイプ３０１（３０２）の上方部分３０１ｂ（３０２ｂ）を倒伏方向に傾斜させている。
【００４０】
縦パイプ３０１（３０２）としては、可撓性を有し、曲げ加工を施すとその形状を維持する性質（塑性変形性）を備えた管状部材、例えば、強化アルミニウムパイプの外周面及び内周面にポリエチレン樹脂層が付設された三層構造管などを好適に使用することができるが、これに限定するものではない。なお、縦パイプ３０１（３０２）全体を三層構造管で形成することもできるが、縦パイプ３０１（３０２）の湾曲部３０１ａ，３０２ａのみを部分的に三層構造管で形成することもできる。
【００４１】
放熱器３００は、縦パイプ３０１（３０２）の上方部分３０１ｂ（３０２ｂ）が倒伏方向に傾斜しているので、前述した図３に示す放熱器２００と同様、当該放熱器３００を建物内に配置したとき、室内の天井寄りに位置する、複数の縦パイプ３０１，３０２の上方部分３０１ｂ，３０２ｂが、居住者が日常生活する領域（居住空間）に接近した状態となる結果、居住者は輻射効果を体感し易くなるとともに、放熱器３００の下方に家具や棚などを配置することも可能であり、居住空間を効率的かつ快適に冷暖房することができる。
【００４２】
また、放熱器３００の場合、複数の縦パイプ３０１（３０２）の上部ヘッダ部材３０３（３０４）寄りの部分に設けられた湾曲部３０１ａ（３０２ａ）が可撓性を有するので、縦パイプ３０１（３０２）の上方部分３０１ｂ（３０２ｂ）の傾斜角度Ｄを変更することができる。従って、傾斜角度Ｄを変えることにより、居住者の体感度合いを変更することが可能であり、例えば、居住者に対する暖房作用や冷房作用を強めたいときは、傾斜角度Ｄを増大させ、上方部分３０１ｂ（３０２ｂ）を居住者側に近付けることによりスポット空調的な効果が得られるので、利便性が向上する。
【００４３】
また、上方部分３０１ｂ，３０２ｂの傾斜角度Ｄを変更することにより、設置場所に適した状態に設定することができるので、施工性の向上にも有効である。その他の部分の構造、機能などは図３に示す放熱器２００と同様である。なお、放熱器３００においても、上部ヘッダ部材３０３，３０４同士及び下部ヘッダ部材３０５，３０６同士をそれぞれ一体化した部材、例えば、並列する流路３０３ａ，３０４ａ（３０５ａ，３０６ａ）を内蔵した一つの部材などによって形成することができる。
【００４４】
次に、図５に基づいて、図１に示す放熱器１００を用いた空調システム４００について説明する。図５に示すように、空調システム４００は、建物１０内の複数の部屋１，２，３，４内にそれぞれ配置された放熱器１００と、前記熱媒の温度調節を行うため建物１０外に配置された熱源機（ヒートポンプ）１２と、放熱器１００と熱源機１２との間で前記熱媒を循環させる第１流通経路１３と、建物１０内に外気を導入して建物１０内の気圧を正圧に保持するための給気経路１４及び給気手段（ファン）１５と、給気手段１５で導入される外気を浄化する清浄化手段（フィルタ）１６と、給気手段１５で導入される外気の温度調節を行う熱交換器１７と、建物１０内の各部屋１，２，３，４の空気が流出可能な排気経路５，６，７，８と、熱交換器１７と熱源機１２との間で前記熱媒を循環させる第２流通経路１８とを備えている。
【００４５】
図５に示す空調システム４００においては、第１流通経路１３を経由して熱源機１２と放熱器１００との間を循環する熱媒として水を使用しているが、これに限定されるものではない。また、給気手段１５のサイズ（性能）なども、限定しないが、建物１０に応じて、建築基準法で定められている必要換気量（０．５回／ｈ）を満たすことができるサイズ（性能）のものを選定することができる。
【００４６】
建物１０内の複数の部屋１，２，３，４内にはそれぞれ出入り口１ａ，２ａ，３ａ，４ａ及びドア１ｂ，２ｂ，３ｂ，４ｂが設けられている。給気経路１４は、部屋２の外壁部１０ａに開設された開口部１０ｂから、１階天井部Ｃ１と２階床部Ｆ２との間に形成された通気経路１９を経由して、１階側の部屋１，２の給気口２１ａ及び２階側の部屋３，４の給気口２１ｂに連通している。本実施形態では、建物１０の１階天井部Ｃ１と２階床部Ｆ２との間に気密断熱状のダクトレス空間を形成し、このダクトレス空間を通気経路１９とし、１階側の給気口２１ａ，２１ａが部屋１，２の天井面１ｃ，２ｃに設けられ、２階側の給気口２１ｂ，２１ｂが部屋３，４の床面３ｆ，４ｆに設けられている。
【００４７】
排気経路５，６，７，８は各部屋１，２，３，４の外壁部１０ａに開設されている。排気経路５，６，７，８には、逆流防止機能及び所定の圧力差で開放する機能を有する差圧調節手段９がそれぞれ設けられている。排気経路５，６，７，８の外側にはそれぞれ防雨用のフード１０ｃが設けられている。
【００４８】
空調システム４００において、熱源機１２及び給気手段１５を稼働させると、熱源機１２において温度調節された熱媒が、第１流通経路１３を経由して各部屋１，２，３，４内の放熱器１００との間で循環するとともに、第２流通経路１８を経由して熱交換器１７との間で循環する。これと並行して、給気手段１５により、建物１０の外部から、清浄化手段１６を通過して吸い込まれた外気が熱交換器１７、給気経路１４及び開口部１０ｂなどを経由して、給気口２１ａ，２１ｂから部屋１，２，３，４内へ流入する。
【００４９】
このとき、給気手段１５の送風能力及び排気経路５，６，７，８の開度は、建物１０内の気圧が正圧を維持することができるように設定され、熱源機１２及び給気手段１５はいずれも連続稼働（所謂、２４時間運転）することができる。従って、空調システム４００は、第２種換気方式の２４時間換気機能を発揮することができる。
【００５０】
空調システム４００においては、季節（気温）に応じて熱源機１２で温度調節された熱媒を、第一流通経路１３を経由して、建物１０内の各部屋１，２，３，４に配置された放熱器１００に循環流通させることにより、各放熱器１００から放出される暖気若しくは冷気により、それぞれの部屋１，２，３，４内を適切な温度で暖房したり、冷房したりする輻射空調を行うことができる。また、空調システム４００においては、建物１０内に電動式の送風ファンなどを設ける必要がないので、当該空調システム４００が稼働しているときも建物１０内を静寂に保つことができる。
【００５１】
空調システム４００において、各部屋１，２，３，４に配置された放熱器１００（図１，図２参照）は、複数の縦パイプ１０１の上方部分が倒伏方向に傾斜しているので、複数の縦パイプ１０１の上方部分が、居住者が日常生活する領域（居住空間）に接近した状態となる結果、居住者は放熱器１００からの輻射効果を体感し易くなるとともに、放熱器１００の下方に家具や棚などを配置することも可能であり、居住空間を効率的かつ快適に冷暖房することができる。また、傾斜した縦パイプ１０１は、直線状の縦パイプに比べ、パイプ長を長く（熱媒の流動経路を長く）確保することができるため、輻射領域が広くなり、冷暖房機能の向上にも有効である。
【００５２】
また、給気手段１５により導入される外気は、清浄化手段１６で浄化され、熱交換器１７で適切な温度に調節され、建物１０内の気圧を正圧に保持できるような風圧（風量）で建物１０内に供給される。給気手段１５により導入される外気は、給気経路１４及び通気経路１９を経由して給気口２１ａ，２１ｂから各部屋１，２，３，４内へ流入して拡散した後、それぞれの一部は排気経路５，６，７，８から屋外へ排出される。
【００５３】
また、暖房及び冷房が不要な中間期においては、熱源機１２の運転を停止して、放熱器１００及び熱交換器１７の機能を停止する一方、給気手段１５を連続運転することにより、第２種換気方式の２４時間換気を行うことができる。なお、清浄化手段１６としては、空気中の塵埃などを捕捉する機能を有するフィルタが好適であるが、エアワッシャなどを使用することもできる。
【００５４】
また、建物１０の１階天井部Ｃ１と２階床部Ｆ２との間に形成されたダクトレス空間を、給気経路１４の一部をなす気密断熱性の通気経路１９としたことにより、給気口２１ａ，２１ｂから各部屋１，２，３，４内へ導入される外気流を確保することができるので、確実な換気作用を得ることができる。また、通気経路１９が給気経路として機能するので、給気口２１ａ，２１ｂに接続するダクトの施工が不要となり、資材の削減及び施工の容易化を図ることができる。また、通気経路１９に面する１階天井部Ｃ１や２階床部Ｆ２を介して輻射作用が生じるので、空調効果の向上にも有効である。
【００５５】
空調システム４００において、第１流通経路１３、第２流通経路１８の少なくとも一方に経路開閉手段（図示せず）を設ければ、空調負荷などに応じて、前記経路開閉手段を開閉することにより、第１流通経路１３に接続された放熱器１００、第２流通経路１８に接続された熱交換器１７の何れか一方のみの運転が可能となるので、空調効率の向上に有効である。
【００５６】
例えば、放熱器１００による輻射空調を行いながら、外気をそのまま取り入れたい場合（輻射空調のみを行いたい場合など）は、熱交換器１７に接続される第２流通経路１８の途中に設けた前記経路開閉手段（図示せず）を閉止して、熱交換器１７への熱媒の循環を停止させることによって実現することができる。また、第１流通経路１３に設けた経路開閉手段（図示せず）を閉止して、放熱器１００への熱媒の循環を停止させれば、外気の温度調節のみの運転も可能である。
【００５７】
また、熱交換器１７の熱源として、放熱器１００の熱源である熱源機１２を利用することにより、建物１０内へ導入する外気の温度調節用の熱源を、別途、設ける必要がなくなるので、構造の簡素化、設置スペースの削減を図ることができる。
【００５８】
さらに、外気を熱交換器１７で熱交換して建物１０内へ導入するので、特に夏場は高温多湿の外気を冷却することにより、除湿、冷却された外気を導入することができ、建物１０内を快適な状態にすることができる。なお、夏場は特に放熱器１００表面に結露が発生することがあるが、建物１０内へ導入する外気を予め除湿冷却すれば、放熱器１００表面に発生する結露を緩和させることができる。
【００５９】
一方、排気経路５，６，７，８に、それぞれ逆流防止機能を有する差圧調節手段９が設けられているため、建物１０内の気圧と建物外の気圧との間に所定の圧力差を設定することができ、建物１０内を常に安定した正圧に保つことができる。この場合、建物１０内の気圧と建物外の気圧との圧力差は５Ｐａ〜１０Ｐａ程度に設定することが望ましい。また、建物１０に設けられた扉（図示せず）などの開閉操作により建物１０内の気圧が変動した場合、これに追随して、差圧調節手段９の逆流防止機能が作動するので、排気経路５，６，７，８からの外気侵入を防止することができる。
【００６０】
また、排気経路５，６，７，８から排出される空気量を差圧調節手段９で増減させることにより、建物１０内の気圧を昇降させることもできるので、建物外の気圧などが変化した場合でも、汚染物質の侵入防止機能を適切な状態に設定することができる。さらに、差圧調節手段９は逆流防止手段も有するので、給気手段１５の故障や停止などの原因で建物１０内の正圧が維持できなくなった場合、あるいは強風などにより排気経路５，６，７，８に向かって外気が吹き込むような事態が生じた場合でも、汚染物質を含む外気の建物１０内への侵入を防止することができる。
【００６１】
なお、逆流防止機能を有する差圧調節手段９は、特に限定しないので、予め設定された一定圧力以上で開放状態を保ち、一定圧力未満で閉鎖する機能を有するものを使用することができる。また、逆流防止機能を有する差圧調節手段９は、圧力差により開閉する羽根にウエイトなどを取り付け、一定圧力差以上で開放し、圧力差がなくなると自重で閉止する機構をもつ差圧開閉手段などを好適に使用することができる。設定圧力はウエイトの取り付け個数などで任意に設定できるものでもよい。この場合、ウエイト個数が増えれば開放する際の圧力が高くなり、外気との差圧を大きくとることができ、ウエイト個数が減れば開放圧力が下がり、外気との差圧を小さくすることができる。
【００６２】
そのほか、排気経路５，６，７，８に排気ファン（図示せず）を設けて第１種換気方式の２４時間換気を行うこともできる。この場合も、開口部１０ｂからの給気量が、排気経路５，６，７，８からの排気量よりも多くなるように設定すれば、第１種換気方式により計画的な換気を実現しつつ、建物１０内を常に正圧に保つことができる。また、建物１０内の気圧と建物外の気圧との間に設定されている圧力差を変更する場合は前記排気ファンの回転数を変更することによっても対応可能である。
【００６３】
本実施形態において、建物１０は高気密・高断熱構造であるが、これに限定しないので、中気密・中断熱構造の建物などにおいても本発明の空調システムを施工することが可能であり、そのような建物においても、建物内を常に静寂かつ快適で清浄な雰囲気に保つことができる。
【００６４】
なお、図１〜図４に基づいて説明した放熱器１００，２００，３００及び図５に基づいて説明した空調システム４００は、いずれも本発明を例示するものであり、本発明に係る放熱器及び空調システムは、前述した放熱器１００，２００，３００及び空調システム４００に限定されない。
【産業上の利用可能性】
【００６５】
本発明の放熱器及びこれを用いた空調システムは、戸建て住宅や集合住宅などの各種建築物における空調技術として、建築・建設産業の分野などにおいて広く利用することができる。
【符号の説明】
【００６６】
１，２，３，４  部屋
１ａ，２ａ，３ａ，４ａ  出入り口
１ｂ，２ｂ，３ｂ，４ｂ  ドア
５，６，７，８  排気経路
９  差圧調節手段
１０  建物
１０ａ  外壁部
１０ｂ  開口部
１０ｃ  フード
１２  熱源機
１３  第１流通経路
１４  給気経路
１５  給気手段
１６  清浄化手段
１７  熱交換器
１８  第２流通経路
１９  通気経路
２１ａ，２１ｂ  給気口
１００，２００，３００  放熱器
１０１  縦パイプ
１０１ａ，１０１ｂ  湾曲部
１０１ｃ，２０１ｃ，２０２ｃ，３０１ｂ，３０１ｂ  上方部分
１０１ｄ  頂上部
１０２，１０３  開口端
１０４，１０５，３０３ａ，３０４ａ，３０５ａ，３０６ａ  流路
１０６，１０７  ヘッダ部材
１０６ａ  流入部
１０７ａ  流出部
２０１，２０２，３０１，３０２  縦パイプ
２０１ａ，２０１ｂ，２０２ａ，２０２ｂ，３０１ａ，３０２ａ  湾曲部
２０３，２０４，３０３，３０４  上部ヘッダ部材
２０３ａ  流入管
２０４ａ  流出管
２０５，２０６，３０５，３０６  下部ヘッダ部材
２０７，２０８，３０７，３０８  柵状パネル
４００  空調システム
Ｃ  天井面
Ｃ１  １階天井部
Ｄ  傾斜角度
Ｆ  床面
Ｆ２  ２階床部
【図１】
0005851473.tif 000002
【図２】
0005851473.tif 000003
【図３】
0005851473.tif 000004
【図４】
0005851473.tif 000005
【図５】
0005851473.tif 000006